(57)【特許請求の範囲】
【請求項１】
釣糸用擬似餌であって、
前記餌は２本ないし４００本の色の異なる２以上のフィルムを含み、
前記フィルムは可視光線領域の一定波長範囲における光反射率が５０％以上であり、可視光線領域の特定波長における最高光反射率が６０％以上である反射効果を有し、
前記フィルムの幅は０．１ｍｍないし５．０ｍｍであり、
前記フィルムの曲げ剛性は０．０５ｍＮ／ｍ以下であり、
波長２００ｎｍないし７８０ｎｍの平均光反射率が３０％以上であり、波長２００ｎｍないし３８０ｎｍで４０％以上の光反射率、１５０％以下の最高光反射率を示し、フィラメント１本の繊度が５ないし１，０００デニールであるＩＲＳ ＵＶフィラメント１本ないし４００本をさらに含み、
前記フィルムは断面が薄い長方形状であり、前記フィラメントは断面が円形であり、
前記フィルムまたは前記フィラメントのうちの１本の糸筋には色の異なる他のフィルムまたはフィラメントの１本以上の糸筋が撚り合わせられ、
前記撚り合わせ方法はＺ撚り及びＳ撚りの少なくとも１つ以上である
ことを特徴とする釣糸用擬似餌。
【請求項２】
前記フィルム全体の５０ないし８０％は前記２以上のフィルムのうちの１つである
請求項１に記載の釣り糸用擬似餌。
【請求項３】
前記フィルムは、
ａ）波長６４６ｎｍで７７％の最高光反射率を示し、波長５３８ｎｍで光反射率が６０％を超えるもの、
ｂ）波長５８５ｎｍで８３％の最高光反射率を示し、波長２９４ｎｍで光反射率が６０％を超えるもの、
ｃ）波長７１３ｎｍで６２％の最高光反射率を示し、波長５７６ｎｍないし７３９ｎｍで光反射率が６０％を超えるもの、
ｄ）波長４６９ｎｍで６１％の最高光反射率を示し、波長３０２ｎｍないし７４８ｎｍで光反射率が５５％を超えるもの、
ｅ）波長５４０ｎｍで６８％の最高光反射率を示し、波長４９３ｎｍないし５５２ｎｍで光反射率が６０％を超えるもの、
ｆ）波長５５１ｎｍで１０１％の最高光反射率を示し、波長４７１ｎｍないし５８０ｎｍで光反射率が６０％を超えるもの、
ｇ）波長４６５ｎｍで９７％の最高光反射率を示し、波長４４６ｎｍないし４８０ｎｍで光反射率が６０％を超えるもの、
ｈ）波長２００ｎｍないし４１９ｎｍで１００％の光反射率を示し、波長６３４ｎｍ以上でも光反射率が１００％を超えるもののうちのいずれか１つである
請求項１に記載の釣り糸用擬似餌。
【発明の詳細な説明】
【技術分野】
【０００１】
本発明は、光学フィルムを用いた釣り道具に関し、特に、紫外線領域における反射率が高い光学フィルムを用いた釣り道具に関する。
【背景技術】
【０００２】
本発明は、釣り用擬似餌に関し、特に、水中で可視光線または紫外線領域における反射率が高い光学フィルムまたはフィラメントを用いた釣り用擬似餌に関する。
【０００３】
通常、擬似餌としては、メタルジグ（ｍｅｔａｌ  ｊｉｇ）、プラグルアー（ｐｌｕｇ  ｌｕｒｅ）、ワーム（ｗｏｒｍ）、タコベイト、エギ、鯛ラバ、インチクなどが用いられ、これらに取り付けられるジグやシンカーなどがある。
【０００４】
例えば、魚の模型であるプラグルアーのような擬似餌は、その表面が魚の実際の模様と色相を有するように製造され、釣り対象魚の攻撃性を誘発する。
【０００５】
一般に、釣り対象魚の攻撃性を効果的に誘発するものは、擬似餌の外形と色であることが知られている。
【０００６】
特に、擬似餌の色は、釣り対象魚の攻撃性を強く誘発させることに効果的であるため、擬似餌のメーカーは擬似餌の色に多くの関心を持っている。
【０００７】
また、科学者らの研究によれば、魚は合目的的に色相を用いると知られている。例えば、実験によれば、交尾競争で色相が最も派手な個体が勝利者になることがわかる。
【０００８】
また、魚は人間には見られない紫外線まで感知する。紫外線は他の光線より水中深くまでは浸透できないと知られていたが、意外と深く浸透し、３０メートルまでは軽く浸透することができる。これは、スペクトルの異なる他の光線より紫外線の波長が短く、水中への浸透中に散乱し難いためである。
【０００９】
このように、魚は擬似餌の色彩に反応することが分かり、特に、紫外線領域でも魚が反応することが分かる。
【００１０】
図１は、魚種別認知領域−可視光線帯域を示した図である。
【００１１】
本発明でも、魚（対象魚）が反応する可視光線及び紫外線を活用して対象魚の捕獲を増加させようとする。
これと関連し、特許文献１の釣り用脱着擬似餌では、タコ形状のルアーに多くの形状と色彩を備えるようにしている。
【先行技術文献】
【特許文献】
【００１２】
【特許文献１】韓国実用新案登録２０−０４０７６４３号
【発明の概要】
【発明が解決しようとする課題】
【００１３】
本発明は、擬似餌の色彩に反応する魚の特性を用いて、対象魚の捕獲を増加させることを目的とする。
【００１４】
また、本発明は、水中における反射効果が高いフィルムまたはフィラメントを従来の擬似餌と組み合わせて従来の擬似餌の捕獲効果を向上させることを目的とする。
【００１５】
本発明は、後述するように、多様な色を有する光学フィルムまたはフィラメントを用いて対象魚を誘引しようとするものであり、その目的及び構成が特許文献１とは異なる。
【課題を解決するための手段】
【００１６】
本発明の釣り糸用擬似餌は、前記餌は１本ないし４００本のフィルムを含み、前記フィルムは可視光線領域の一定波長範囲における光反射率が５０％以上であって、可視光線領域の特定波長における最高光反射率が６０％以上である反射効果を有し、前記フィルムの幅は０．１ｍｍないし５．０ｍｍであり、前記フィルムの曲げ剛性は０．０５ｍＮ／ｍ以下であることを特徴とする。
【００１７】
また、本発明において前記フィルムは、色の異なる２以上のフィルムから構成され、前記フィルム全体の５０ないし８０％は前記２以上のフィルムのうちの１つであり得る。
【００１８】
また、本発明において前記フィルムは、ａ）波長６４６ｎｍで７７％の最高光反射率を示し、波長５３８ｎｍで光反射率が６０％を超えるもの、ｂ）波長５８５ｎｍで８３％の最高光反射率を示し、波長２９４ｎｍで光反射率が６０％を超えるもの、ｃ）波長７１３ｎｍで６２％の最高光反射率を示し、波長５７６ｎｍないし７３９ｎｍで光反射率が６０％を超えるもの、ｄ）波長４６９ｎｍで６１％の最高光反射率を示し、波長３０２ｎｍないし７４８ｎｍで光反射率が５５％を超えるもの、ｅ）波長５４０ｎｍで６８％の最高光反射率を示し、波長４９３ｎｍないし５５２ｎｍで光反射率が６０％を超えるもの、ｆ）波長５５１ｎｍで１０１％の最高光反射率を示し、波長４７１ｎｍないし５８０ｎｍで光反射率が６０％を超えるもの、ｇ）波長４６５ｎｍで９７％の最高光反射率を示し、波長４４６ｎｍないし４８０ｎｍで光反射率が６０％を超えるもの、及びｈ）波長２００ｎｍないし４１９ｎｍで１００％の光反射率を示し、波長６３４ｎｍ以上でも光反射率が１００％が超えるもののうちのいずれか１つであり得る。
【００１９】
また、本発明において、波長２００ｎｍないし７８０ｎｍで平均光反射率が３０％以上であって、波長２００ｎｍないし３８０ｎｍで４０％以上の光反射率、１５０％以下の最高光反射率を示し、フィラメント一本の繊度が５ないし１，０００デニール（ｄｅｎｉｅｒ）であるＩＲＳ ＵＶフィラメントを１ないし４００本さらに含むことができる。
【００２０】
また、本発明において、前記フィルムまたは前記フィラメントの糸筋は互いに撚り合わせられてもよい。
【００２１】
また、本発明において、前記フィルムまたは前記フィラメントのうちの１本の糸筋には、色の異なる他のフィルムまたはフィラメントの１本以上の糸筋が撚り合わせられ、撚り合わせ方法はＺ撚り及びＳ撚りの少なくとも１つ以上であり得る。
【００２２】
本発明の釣り糸用擬似餌において、前記餌は１ないし４００本のＵＶフィラメントを含み、前記フィラメントは波長２００ｎｍないし７８０ｎｍで平均光反射率が３０％以上であって、波長２００ｎｍないし３８０ｎｍで４０％以上の光反射率、１５０％以下の最高光反射率を示し、波長２５３．８４ｎｍで１２５．６％の光反射率及び波長３４４．６８ｎｍで８７．７％の光反射率を示し、前記フィラメントの幅は０．１ｍｍないし５．０ｍｍであり、前記フィラメントの曲げ剛性は０．０５ｍＮ／ｍ以下であることを特徴とする。
【００２３】
また、本発明において前記フィルムまたは前記フィラメントは、メタルジグ、ミノー（ｍｉｎｎｏｗ）、ワーム、タコベイト、小型エギ、ソフトエギ、釣り針、イイダコエザ、重り、シリコンネクタイ２０及びシリコンラバー２１のいずれか１つと組み合わせることができる。
【００２４】
また、本発明において前記フィルムまたは前記フィラメントは、スイベル３０に取り付けられ、シリコンラバー２１、シリコンネクタイ２０及びボール４０が前記スイベル３０にさらに取り付けられ、前記ボール４０はシリコン材料からなるか又は夜光特性を有し得る。
【００２５】
また、本発明において前記スイベル３０は、スイベルの上部フック３１及び下部フック３３が本体に対して回転自在である。
【００２６】
また、本発明は、フィルムまたはフィラメント１０をスイベル３０に固定する段階；フィルム、フィラメント１０及びシリコンラバー２１の少なくとも１つをスイベル３０に固定する段階；フィルム、フィラメント１０及びシリコンラバー２１の少なくとも１つの下方でシリコンボールまたは夜光ボール４０をスイベル３０に固定する段階；前記シリコンボールまたは夜光ボール４０の下方でシリコンネクタイ２０をスイベル３０に固定する段階；及び前記スイベル３０に釣り針５０を取り付ける段階を含み、前記スイベル３０はスイベルの上部フック３１及び下部フック３３が本体３２に対して回転自在であることを特徴とする回転式釣り糸用擬似餌を製造する方法を提供する。
【図面の簡単な説明】
【００２７】
【図１】魚種別認知領域−可視光線帯域を示したグラフ
【図２】釣り糸用擬似餌であるシリコン材料、エギ及びメタルジグを示した説明図
【図３】本発明の擬似餌が取り付けられた例を示した写真
【図４】本発明の一実施例であるフィルムを示した写真
【図５ａ】本発明の構成要素であるフィルム及びＩＲＳ ＵＶフィラメントの波長特性を示したグラフ
【図５ｂ】本発明の構成要素であるフィルム及びＩＲＳ ＵＶフィラメントの波長特性を示したグラフ
【図５ｃ】本発明の構成要素であるフィルム及びＩＲＳ ＵＶフィラメントの波長特性を示したグラフ
【図５ｄ】本発明の構成要素であるフィルム及びＩＲＳ ＵＶフィラメントの波長特性を示したグラフ
【図５ｅ】本発明の構成要素であるフィルム及びＩＲＳ ＵＶフィラメントの波長特性を示したグラフ
【図５ｆ】本発明の構成要素であるフィルム及びＩＲＳ ＵＶフィラメントの波長特性を示したグラフ
【図５ｇ】本発明の構成要素であるフィルム及びＩＲＳ ＵＶフィラメントの波長特性を示したグラフ
【図５ｈ】本発明の構成要素であるフィルム及びＩＲＳ ＵＶフィラメントの波長特性を示したグラフ
【図５ｉ】本発明の構成要素であるフィルム及びＩＲＳ ＵＶフィラメントの波長特性を示したグラフ
【図６】本発明の他の実施例であるフィルムまたはフィラメントを示した写真
【図７】本発明のさらに他の実施例であるフィルムまたはフィラメントを示した写真
【図８ａ】オーロラシルバーフィラメントの曲げ剛性の実験結果を示した表
【図８ｂ】オーロラシルバーフィラメントの曲げ剛性の実験結果を示した表の説明図
【図９】オーロラシルバーフィラメントの曲げ剛性の実験方法を示した写真
【図１０】本発明のフィルムが巻き取られたボビンを示した写真
【図１１】図４のオーロラレッドフィルムが図９のボビンに巻き取られた状態を説明する写真
【図１２】図４のオーロラレッドフィルムの照明下における拡大写真
【図１３ａ】図７のオーロラフィルムの照明下における拡大写真
【図１３ｂ】ストランド１本の断面の拡大写真
【図１４】オーロラゴールドフィルムの１本の拡大写真
【図１５】ストランド（ｓｔｒａｎｄ）工程におけるＳ撚り及びＺ撚りを説明する説明図
【図１６ａ】本発明のフィルムと多様な擬似餌とを組み合わせて使用する例を示した写真
【図１６ｂ】本発明のフィルムと多様な擬似餌とを組み合わせて使用する例を示した写真
【図１６ｃ】本発明のフィルムと多様な擬似餌とを組み合わせて使用する例を示した写真
【図１６ｄ】本発明のフィルムと多様な擬似餌とを組み合わせて使用する例を示した写真
【図１６ｅ】本発明のフィルムと多様な擬似餌とを組み合わせて使用する例を示した写真及び説明図
【図１７ａ】本発明のフィルムまたはフィラメントをシリコンラバー及びシリコンネクタイと共に適用した説明図
【図１７ｂ】本発明のフィルムまたはフィラメントをシリコンラバー及びシリコンネクタイと共に適用した説明図
【図１７ｃ】本発明のフィルムまたはフィラメントをシリコンラバー及びシリコンネクタイと共に適用した説明図
【図１７ｄ】本発明のフィルムまたはフィラメントをシリコンラバー及びシリコンネクタイと共に適用した説明図
【図１７ｅ】本発明のフィルムまたはフィラメントをシリコンラバー及びシリコンネクタイと共に適用した説明図
【図１７ｆ】本発明のフィルムまたはフィラメントをシリコンラバー及びシリコンネクタイと共に適用した説明図
【図１８】図１７ａないし図１７ｆに示されたスイベルの説明図
【発明を実施するための形態】
【００２８】
図２は、釣り糸用擬似餌として一般に使用される擬似餌である鯛ラバ（シリコン材料）、エギ及びメタルジグを示した図である。図２には、本発明の釣り糸用擬似餌として使用されるフィルムまたはフィラメント１０がシリコン材料２０と共にスイベル３０に取り付けられている様子が示されている。
【００２９】
図３に示されたように、スイベル３０の上部フック３１にスナップを連結してハリスを取り付け、下部フックのリング３３Ａに釣り針を取り付ければ、フィルムまたはフィラメント１０とシリコン材料２０によって対象魚を誘引して捕獲することができる。
【００３０】
本発明において、フィルムとは断面が薄い長方形状であるものを意味し、フィラメントとは断面が円形であるものを意味する。
【００３１】
本発明の擬似餌であるフィルムまたはフィラメント１０は、図２に示されたように、１本以上の糸筋から構成され、それぞれの糸筋はきらめく効果を奏して幅狭または小直径のフィルムまたはフィラメントであり、望ましくは１本以上４００本以下からなる。
【００３２】
また、前記フィルム１０の幅は、０．１ｍｍないし５．０ｍｍであることが望ましく、このように幅狭のフィルムは水中での動きがよく、魚を誘引し易い。
【００３３】
また、本発明のフィルムは、細長い形態であるため、水中における乱反射効果が一層発揮され易い。
【００３４】
図４には、８種の本発明のフィルム１０が示されている。本発明者は、便宜上、前記８種のフィルムをホログラムゴールド、ホログラムシルバー、オーロラゴールド、オーロラシルバー、オーロラレッド、オーロラ、オーロラブルー、グローフィルムに分類し、これらフィルムの波長特性は図５ａないし５ｈに示されている。
【００３５】
また、本発明では、前記８種のフィルムに付け加えて紫外線領域における光反射率に優れたＩＲＳ ＵＶフィラメントを使用することができ、前記ＵＶフィラメントの波長特性は図５iに示されている。
【００３６】
図５ａないし図５ｉの光反射率試験において、試験装備としてはＰｅｋｉｎ Ｅｌｍｅｒ社製の紫外線／可視光線／近赤外線分光器（ＵＶ／ＶＩＳ／ＮＩＲ ｓｐｅｃｔｒｏｍｅｔｅｒ）を使用した。
【００３７】
図５ａは、ホログラムゴールドフィルムの波長特性であって、波長６４６ｎｍで７７％の最高光反射率を示し、波長５３８ｎｍで光反射率が６０％を超えることを示している。
【００３８】
図５ｂは、ホログラムシルバーフィルムの波長特性であって、波長５８５ｎｍで８３％の最高光反射率を示し、波長２９４ｎｍで光反射率が６０％を超えることを示している。
【００３９】
図５ｃは、オーロラゴールドフィルムの波長特性であって、波長７１３ｎｍで６２％の最高光反射率を示し、波長５７６ｎｍないし７３９ｎｍで光反射率が６０％を超える部分があることを示している。
【００４０】
図５ｄは、オーロラシルバーフィルムの波長特性であって、波長４６９ｎｍで６１％の最高光反射率を示し、波長３０２ｎｍないし７４８ｎｍで光反射率が５５％を超える部分があることを示している。
【００４１】
図５ｅは、オーロラレッドフィルムの波長特性であって、波長５４０ｎｍで６８％の最高光反射率を示し、波長４９３ｎｍないし５５２ｎｍで光反射率が６０％を超える部分があることを示している。
【００４２】
図５ｆは、オーロラフィルムの波長特性であって、波長５５１ｎｍで１０１％の最高光反射率を示し、波長４７１ｎｍないし５８０ｎｍで光反射率が６０％を超える部分があることを示している。
【００４３】
図５ｇは、オーロラブルーフィルムの波長特性であって、波長４６５ｎｍで９７％の最高光反射率を示し、波長４４６ｎｍないし４８０ｎｍで光反射率が６０％を超えていることを示している。
【００４４】
図５ｈは、グローフィルムの波長特性であって、波長２００ｎｍないし４１９ｎｍで１００％の光反射率を示し、波長６３４ｎｍ以上でも光反射率が１００％であることを示している。
【００４５】
図５ｉは、ＩＲＳ ＵＶフィラメントの波長特性であって、波長２００ｎｍないし７８０ｎｍで平均光反射率が３０％以上であり、波長２００ｎｍないし３８０ｎｍで４０％以上の光反射率、１５０％以下の最高光反射率を示すことを示している。
【００４６】
このように、本発明で釣り糸用擬似餌として使用されるフィルムまたはフィラメントは、最高光反射率が６０％を超えて、紫外線または可視光線領域の一定波長範囲における光反射率が３０％を超えることを特徴とする。
【００４７】
図８ａは、図８ｂに示した曲げ剛性試験規格によるオーロラシルバーフィルムの曲げ剛性の試験結果を示した表である。
【００４８】
図８ｂに示された曲げ剛性の試験方法（ＩＳＯ ４６０４）は、曲げ剛性試験規格ＩＳＯ ４６０４の一終端１１を把持し、他終端１２が垂れ下がるようにするカンチレバー法（ｃａｎｔｉｌｅｖｅｒ ｍｅｔｈｏｄ）の曲げ原理を用いて曲げ剛性を測定する方法である。
【００４９】
帯（ｓｔｒｉｐ）状の試片であるフィルムまたはフィラメント１０を規定された規格（ＩＳＯ ４６０４）試験機に載置し、長さ方向に動かせて自重によって下方に曲がるようにし、傾斜角θ＝４１．５度の傾斜面に到達したときの試片が張り出した長さ（曲げ長さＬ、ｂｅｎｄｉｎｇ ｌｅｎｇｔｈ）を測定する。
【００５０】
曲げ剛性の試験結果は、算式：ＩＳＯ ４６０４に根拠した曲げ剛性（ｂｅｎｄｉｎｇ ｒｉｇｉｄｉｔｙ）Ｇ＝９．８１Ｗ×（Ｌ／２）３（Ｇ：曲げ剛性ｍＮ／ｍ）（Ｗ：単位面積当り質量ｇ／ｍ２）（Ｌ：曲げ長さｍ）を用いて計算した。
【００５１】
図８ａの表を見れば、本発明で使用されるオーロラシルバーフィルムの曲げ強度が０．０５ｍＮ／ｍ以下であることが分かり、その他の本発明で使用されるフィルムまたはフィラメントも０．０５ｍＮ／ｍ以下の曲げ剛性を示している。
【００５２】
図９には、本発明のフィルムまたはフィラメント１０がボビン５０のそれぞれの溝５１に巻き取られていることが示され、１２０本、１８０本、２４０本、３６０本が巻き取られている状態が示されている。図１０は図４のオーロラレッドフィルムが図９のボビンに巻き取られている状態を示し、図１１は前記オーロラレッドフィルムの拡大写真及びＵＶ照明下の写真を示している。
【００５３】
図６のフィルムは、図４に示されたホログラムゴールド、ホログラムシルバー、オーロラゴールド、オーロラシルバー、オーロラレッド、オーロラ、オーロラブルー、グローフィラメントのそれぞれを基本にして、一部を組み合わせて束を形成する図４の他の実施例である。
【００５４】
すなわち、図４に示されたフィルムまたはフィラメントは、１種のフィルムまたはフィラメントの多数本からなる状態であって、釣り糸が連結されているスイベルに取り付けられて使用される釣り糸用擬似餌であり、図６は図４に示されたそれぞれの種類のフィルムまたはフィラメントが互に組み合わせられているものである。
【００５５】
図１２は、図６に示された製品のうち、オーロラフィルムの照明下における拡大図であり、図４のオーロラフィルムを基本にしてオーロラブルー、オーロラゴールド及びＩＲＳ ＵＶフィラメントが組み合わせられていることが分かる。
【００５６】
望ましくは、オーロラフィルムを全体の７０％にし、オーロラブルー、オーロラゴールド及びＩＲＳ ＵＶフィラメントをそれぞれ１０％にして１つの束を製造する。
【００５７】
図６に示されたホログラムゴールド、ホログラムシルバー、オーロラゴールド、オーロラシルバー、オーロラレッド、オーロラ、オーロラブルー、グローフィラメントは、図１２のオーロラフィルムと同様に、基本になるフィルムまたはフィラメントの名称を指称するものである。
【００５８】
このように、本発明では図４に示されたそれぞれの種類のフィルムまたはフィラメントの束だけでなく、それぞれの種類を相互組み合わせて使用することができる。
【００５９】
図７では、さらに他の実施例として、基本になるフィルムまたはフィラメントの１本に、他の種類のフィラメントまたはフィルム２本が、１本はＳ撚り、他の１本はＺ撚りで撚り合わせられて形成されるストランドの多数本が束をなしている。
【００６０】
図１５は、ストランド工程におけるＳ撚り及びＺ撚りを説明する簡略図である。
【００６１】
図１３ａは、オーロラレッドフィルムを基本にして、ＩＲＳ ＵＶフィラメントがＳ撚り及びＺ撚りで撚り合わせられたストランドの多数本が１つの束ねをなした釣り糸用擬似餌（図７）の拡大写真、ＵＶ照明下の写真、及び１束のうちのストランド１本の拡大写真を示している。図１３ｂはストランド１本の断面の拡大写真である。
【００６２】
勿論、図７の束は、図６のフィルムまたはフィラメントのように、オーロラレッドフィルムではなく他の種類のフィルムを基本にし、さらに他の種類のフィルムまたはフィラメントでそれぞれストランドを形成し、多数本のストランドで１つの束ねをなして釣り糸用擬似餌を形成することもできる。
【００６３】
また、図７では、１つのフィルムまたはフィラメントに他の種類のフィルムまたはフィラメントでＳ撚り及びＺ撚りを形成しているが、これと違って異なる種類のフィルムまたはフィラメントを互に撚り合わせることもできる。
【００６４】
図１６ａないし図１６ｅには、本発明のフィルムまたはフィラメントが釣り針に直接取り付けられるか、又は、メタルジグ、ミノー、ワーム、タコベイト、（小型）エギ、重り及びイイダコエザに取り付けられて釣り糸用擬似餌として使用される例を示している。
【００６５】
従来、イイダコエザ６０は単純に釣り糸９０と連結された中間棒８０に固定された形態であったが、図１６ｅのような応用例では、フィルムまたはフィラメント１０をリング７０に固定し、リング７０が中間棒８０で自在に動ける構成にして、フィルムまたはフィラメント１０の光反射効果を極大化できるようにした。
【００６６】
図１７ａないし図１７ｆには、本発明のフィルムまたはフィラメントをシリコンラバー及びシリコンネクタイと共に使用できるように製造する方法が示されている。
【００６７】
図１７ａに示されたスイベル３０は、図１８のように、上部フック３１、本体３２及び下部フック３３で構成され、上部フック３１にはスナップ連結してハリスが固定され、ハリスは道糸と連結されて釣り竿に固定され、下部フック３３のリング３３Ａには釣り針５０（図１７ｆ）が連結される。
【００６８】
図１７ａでは、本発明のフィルムまたはフィラメント１０がスイベルの下部フックの本体３３Ｂに取り付けられている。図１７ｂでは、フィルムまたはフィラメント１０の下部にシリコンラバー２１が結ばれている。図１７ｃでは、シリコンボールまたは夜光ボール４０をシリコンラバー２１の下方で下部フック３３の本体３３Ｂに挿入し、シリコンボールまたは夜光ボール４０がフィルムまたはフィラメント１０とシリコンラバー２１を押し上げている。
【００６９】
その後、図１７ｄのように、シリコンネクタイ２０をスイベルの下部フック３３の本体３３Ｂに結んで、図１７ｅのように取り付けられた構成を整列し、図１７ｆのように釣り針をスイベルの下部フック３３のリング３３Ａに取り付ければ、釣り用擬似餌が完成される。それをスイベルの上部フック３１にスナップ連結してハリスを巻いて対象魚を捕獲することができる。
【００７０】
上記のような製造方法において、フィルムまたはフィラメント１０とシリコンラバー２１の位置は逆にしてもよい。
【００７１】
本発明において、シリコンラバーとネクタイは共にシリコン材料で生成され、形態の差異によって分類されるものである。シリコンラバーは弾性のある細い形態を意味し、シリコンネクタイはネクタイの形態をしており、釣り用擬似餌として広く使用される材料である。
【００７２】
図１８に示されたように、本発明で使用されるスイベル３０は、上部フック３１及び下部フック３３が本体３２に対して回転自在な構造になっている。
【００７３】
以上のように、本発明を具体的な構成要素などのような特定事項、限定された実施例及び図面によって説明したが、これらは本発明のより全般的な理解を助けるために提供されたものであって、本発明がこのような実施例によって限定されることはなく、本発明が属する分野で通常の知識を持つ者であればこのような記載から多様な修正及び変形が可能である。実施例に限られず、特許請求の範囲と均等であるか又は等価的変形に該当する全てのものが本発明に属する。
【符号の説明】
【００７４】
１０  フィルムまたはフィラメント
２０  シリコンネクタイ
２１  シリコンラバー
３０  スイベル
４０  シリコンボールまたは夜光ボール
５０  釣り針
【要約】      （修正有）【課題】水中で可視光線または紫外線領域における反射率が高い光学フィルムまたはフィラメントを用いた釣り糸用疑似餌を提供する。【解決手段】１〜４００本のフィルムを備え、そのフィルムは可視光線領域の一定波長範囲における光反射率が５０％以上であって、可視光線領域の特定波長における最高光反射率が６０％以上であり、フィルムの幅は０．１〜５．０ｍｍであり、フィルムの曲げ剛性は０．０５ｍＮ／ｍ以下である釣り糸用疑似餌。【選択図】図４【図１】
0005913674.tif 000002
【図２】
0005913674.tif 000003
【図３】
0005913674.tif 000004
【図４】
0005913674.tif 000005
【図５ａ】
0005913674.tif 000006
【図５ｂ】
0005913674.tif 000007
【図５ｃ】
0005913674.tif 000008
【図５ｄ】
0005913674.tif 000009
【図５ｅ】
0005913674.tif 000010
【図５ｆ】
0005913674.tif 000011
【図５ｇ】
0005913674.tif 000012
【図５ｈ】
0005913674.tif 000013
【図５ｉ】
0005913674.tif 000014
【図６】
0005913674.tif 000015
【図７】
0005913674.tif 000016
【図８ａ】
0005913674.tif 000017
【図８ｂ】
0005913674.tif 000018
【図９】
0005913674.tif 000019
【図１０】
0005913674.tif 000020
【図１１】
0005913674.tif 000021
【図１２】
0005913674.tif 000022
【図１３ａ】
0005913674.tif 000023
【図１３ｂ】
0005913674.tif 000024
【図１４】
0005913674.tif 000025
【図１５】
0005913674.tif 000026
【図１６ａ】
0005913674.tif 000027
【図１６ｂ】
0005913674.tif 000028
【図１６ｃ】
0005913674.tif 000029
【図１６ｄ】
0005913674.tif 000030
【図１６ｅ】
0005913674.tif 000031
【図１７ａ】
0005913674.tif 000032
【図１７ｂ】
0005913674.tif 000033
【図１７ｃ】
0005913674.tif 000034
【図１７ｄ】
0005913674.tif 000035
【図１７ｅ】
0005913674.tif 000036
【図１７ｆ】
0005913674.tif 000037
【図１８】
0005913674.tif 000038